(57)【要約】【課題】  クリップ置場に放置されたステープラの針カスを容易に除去することができ、しかも清掃時にステープラの針カスの端部等によるケガを防止することができ、安全で清掃性に優れたクリップ置場付き電子機器を提供すること。【解決手段】  機器本体の上面部にクリップやステープラの針カスを溜めて置くクリップ置場２が形成された複写機など電子機器において、前記クリップ置場２に溜まったクリップやステープラの針を除去するための排出穴３が設けられていることを特徴とする。【選択図】      図２
2005070241.tif 000002
【特許請求の範囲】
【請求項１】
機器本体の上面部にクリップやステープラの針カスを溜めて置くクリップ置場が形成された複写機など電子機器において、前記クリップ置場に溜まったクリップやステープラの針カスを除去するための排出穴が設けられていることを特徴とするクリップ置場付き電子機器。
【請求項２】
クリップ置場の裏面に上下端開口の中空円筒状取付体が排出穴と同心状に垂下され、該取付体に排出穴から除去されるクリップやステープラの針カスを収容する容器が着脱可能に取り付けられている請求項１記載のクリップ置場付き電子機器。
【請求項３】
取付体の内周面にめねじが形成され、該めねじに螺合するおねじが容器の口部に形成されている請求項２記載のクリップ置場付き電子機器。
【請求項４】
クリップ置場の裏面に上下端開口の中空円筒状第２取付体が垂下され、該第２取付体の外周面に容器用キャップのめねじが螺合するおねじが形成されている請求項２又は３記載のクリップ置場付き電子機器。
【請求項５】
クリップ置場の裏面に上下端開口の中空円筒状取付体が排出穴と同心状に垂下され、該取付体内はキャップが嵌合して収容される大きさの嵌合凹部に形成され、この嵌合凹部の底壁にその周縁にキャップの口縁が設置されるだけの環状フランジ部を残して第２排出穴が形成され、さらに取付体より小径で、上下端開口の中空円筒状第２取付体が第２排出穴の口縁に沿って垂下され、第２取付体の内周面に容器の口部に形成されているおねじと螺合するめねじが形成されている請求項１記載のクリップ置場付き電子機器。
【請求項６】
開放することにより排出穴又は第２排出穴を臨むことが可能な開閉扉が機器本体の側面部に設けられている請求項１ないし５のいずれかに記載のクリップ置場付き電子機器。
【発明の詳細な説明】
【技術分野】
【０００１】
この発明は、クリップ置場付き電子機器、さらに詳しくは機器本体の上面部にクリップ置場が設けられている、複写機・ＦＡＸ・プリンタ等の電子機器に関するものである。
【背景技術】
【０００２】
この種のクリップ置場付き電子機器に関する技術が、従来から知られている（例えば、特許文献１参照。）。これは機器本体の上面部の隅角部を窪ませてクリップ置場を形成するとともに、該クリップ置場の下に手が入る空間を設けたものである。そしてクリップ置場に溜めて置かれたクリップやステープラの針カスを除去するには、クリップ置場の下の空間に掌を上に向けて手を差し入れてクリップ等を指で掻き出して掌の上へ掃き出す。
【０００３】
【特許文献１】特開２００１−３４３８０６号公報（第１頁、図２）
【発明の開示】
【発明が解決しようとする課題】
【０００４】
ところで、前記従来のクリップ置場付き電子機器は、クリップを溜めて置く目的とは別に、例えば原稿をＡＤＦへセットする時に原稿から取り外されたステープラの針カスなどが大量に放置される場合が有り、クリップ置場からステープラの針カス等を除去（清掃）しようとした場合に、ステープラの針カスがクリップと比べて小さくて細く、窪み形状であるクリップ置場から取り出しにくい。また、クリップと比べてステープラの針カスの端部が露出しているため、清掃時に指先へ針がささる危険がある。このようなことから、注意を払って針カスを一つひとつ取り除かなければならないなど非常に清掃しにくい欠点があった。
【０００５】
そこでこの発明は、前記従来のものの問題点を解決し、クリップ置場に放置されたステープラの針カスを容易に除去することができ、しかも清掃時にステープラの針カスの端部等によるケガを防止することができ、安全で清掃性に優れたクリップ置場付き電子機器を提供することを目的とする。
【課題を解決するための手段】
【０００６】
前記課題を解決するために、請求項１に記載の発明は、機器本体の上面部にクリップやステープラの針カスを溜めて置くクリップ置場が形成された複写機など電子機器において、前記クリップ置場に溜まったクリップやステープラの針カスを除去するための排出穴が設けられていることを特徴とする。
【０００７】
請求項２に記載の発明は、請求項１において、クリップ置場の裏面に上下端開口の中空円筒状取付体が排出穴と同心状に垂下され、該取付体に排出穴から除去されるクリップやステープラの針カスを収容する容器が着脱可能に取り付けられていることを特徴とする。請求項３に記載の発明は、請求項２において、取付体の内周面にめねじが形成され、該めねじに螺合するおねじが容器の口部に形成されていることを特徴とする。
【０００８】
請求項４に記載の発明は、請求項２又は３において、クリップ置場の裏面に上下端開口の中空円筒状第２取付体が垂下され、該第２取付体の外周面に容器用キャップのめねじが螺合するおねじが形成されていることを特徴とする。
【０００９】
請求項５に記載の発明は、請求項１において、クリップ置場の裏面に上下端開口の中空円筒状取付体が排出穴と同心状に垂下され、該取付体内はキャップが嵌合して収容される大きさの嵌合凹部に形成され、この嵌合凹部の底壁にその周縁にキャップの口縁が設置されるだけの環状フランジ部を残して第２排出穴が形成され、さらに取付体より小径で、上下端開口の中空円筒状第２取付体が第２排出穴の口縁に沿って垂下され、第２取付体の内周面に容器の口部に形成されているおねじと螺合するめねじが形成されていることを特徴とする。
【００１０】
請求項６に記載の発明は、請求項１ないし５のいずれかにおいて、開放することにより排出穴又は第２排出穴を臨むことが可能な開閉扉が機器本体の側面部に設けられていることを特徴とする。
【発明の効果】
【００１１】
この発明は、前記のような構成であるから、クリップ置場に溜め置かれたステープラの針カスを排出穴より容易に容器内へ除去することができ、さらには清掃時にステープラの針カスの端部等によるケガを防止することができるのに加え、容器が市販のペットボトルのような場合にはそれの再利用を図ることができる。また、針カスを受ける専用の受皿を作成する必要が無く、コストダウン及び省資源化することができる。さらに、針カスを破棄する時は、ペットボトルにキャップを被せたまま捨てることができ、針カスを他のゴミと一緒に捨ててしまった後のゴミの分別作業における針カスによるケガを防止することができる、等の優れた効果がある。
【発明を実施するための最良の形態】
【００１２】
この発明の実施の形態を、添付図面に示す実施例を参照して説明する。
【実施例１】
【００１３】
図１は複写機の機器本体（筺体）上面部の隅角部付近を示す要部平面図、図２は図１のＡ−Ａ線に沿う縦断面図である。この実施例１における複写機は図示しないが、筺体の正面に両開き式の開閉扉が配置されている。両図において、１は複写機筺体の上カバーで、前記扉の一方である右側扉の上方に配置されている。上カバー１にはその隅角部に近い位置にクリップやステープラの針カスなどを溜めて置くクリップ置場２が平面長方形状に窪ませられて形成されている。クリップ置場２に溜めて置かれるものとしてはクリップやステープラの針カスであるが、場合によってはゴミなどもある。クリップ置場２の長さ方向一端側の底壁中央部には排出穴３が穿設されている。排出穴３の下方となるクリップ置場２の裏面には上下端開口の中空円筒状取付体４が上カバー１の底壁に排出穴３より大きく、かつ排出穴３と同心状に一体成形により垂下されている。取付体４の内周面には、市販のペットボトル５の口部に形成されているおねじ６と螺合するめねじ７が形成されている。取付体４と排出穴３の同心状の意味についてはぴったり同心のものだけでなく、多少ずれたような偏倚のあるものも含むものとしている。８は複写機の前記した開閉扉で、開放することにより取付体４を臨むことが可能になっている。９は開閉扉８の支軸、１０は開閉扉８の取付用ブラケット、１１は上ステーである。
【００１４】
クリップ置場２に溜まったクリップやステープラの針カスを除去するには、まず開閉扉８を開けて図２に示すように市販のペットボトル５を矢印１２の方向に回転させながら口部のおねじ６を取付体４のめねじ７へ螺合して取り付けることにより、ペットボトル５を上カバー１に保持させる。しかるうえ、クリップ置場２に溜めて置かれたクリップやステープラの針カスを、クリップ置場２に設けた排出穴３からペットボトル５内へ落下させて除去する。そしてペットボトル５内に所定量が除去されたら、開閉扉８を再び開けてペットボトル５を取り外し、ペットボトル５内のクリップやステープラの針カスなどを口部から排出処理し、再使用に供するか、あるいはペットボトル５のまま破棄処分する。
【実施例２】
【００１５】
図３は複写機の筺体上面部の隅角部付近を示す要部平面図、図４は図３のＢ−Ｂ線に沿う縦断面図である。この実施例２において実施例１と相違する点は、クリップ置場２の裏面である長さ方向他端側の底壁中央部に上下端開口の中空円筒状取付体１５が一体成形により垂下され、該取付体の外周面にペットボトル５のキャップ１６に形成されているめねじ１７と螺合するおねじ１８が形成されていることであり、その他の構成は同様となっている。
【００１６】
前記のような取付体１５を設けたことにより、ペットボトル５を取付体４のめねじ７へ螺合して上カバー１に保持させるに際し、ペットボトル５の口部から取り外したキャップ１６を矢印１９の方向へ回転させながら取付体１５のおねじ１８にめねじ１７を螺合して取り付けることにより、上カバー１に保持させることが可能となる。これにより、キャップ１６の紛失を防止することができる。そのため、キャップ１６の保存に苦慮する必要もなく、ペットボトル５の破棄時に別途ペットボトルの口部を塞ぐ手段（ビニールテープ等）を講じる必要もなくなる。
【実施例３】
【００１７】
図５は複写機の筺体上面部の隅角部付近を示す要部平面図、図６は図５のＣ−Ｃ線に沿う縦断面図である。この実施例３においては、排出穴２３を実施例１の排出穴３より大きく形成し、さらに上下端開口の中空円筒状取付体２４をその口縁に沿って一体形成により垂下し、取付体２４内にキャップ１６が適合して嵌合収容される大きさの嵌合凹部２５を形成したこと、嵌合凹部２５の底壁にその周縁にキャップの口縁が設置されるだけの面として環状フランジ部２６を残して第２排出穴２７を形成し、さらに取付体２４より小径で、上下端開口の中空円筒状第２取付体２８をその口縁に沿って一体形成により垂下し、第２取付体２８の内周面にペットボトル５の口部に形成されているおねじ６と螺合するめねじ２９が形成されていること、を特徴とし、その他の構成は実施例１，２と同様となっている。嵌合凹部２５の内径は、キャップ１６が圧入状態とならないよう、キャップ１６の外径よりもやや大きくなっている。
【００１８】
前記の構成により、上カバー１に設けられた嵌合凹部２５に、ペットボトル５のキャップ１６を矢印３０の方向から嵌め込むことができ、嵌め込まれたキャップ１６により、排出穴２３を覆い隠すことが可能となる。また、第２取付体２８のめねじ２９にペットボトル５を矢印３１の方向に回転させながら口部のおねじ６を螺合して取り付け、ペットボトル５を上カバー１に保持させることが可能となる。図７はその保持された状態を示すものである。このように嵌合凹部２５にキャップ１６を嵌合させて排出穴２３を覆い隠せるようにしたことにより、クリップ置場２に溜めて置かれているクリップやステープラの針カスを誤って排出口２３から落としてしまうことを防止することができる。
【００１９】
尚、前記各実施例においては、複写機を例に説明したが、複写機に限らず、ＦＡＸ・プリンタ等の電子機器に対しても有効である。また、クリップやステープラの針カスを除去するものとして市販のペットボトル５を示したが、これは一例であって他の任意の容器でもよい。また、図面で示したクリップ置場２の形状や構造、排出穴３，２３の位置、取付体４，１５，２４や第２取付体２８の形状や構造は同様にあくまでも好ましい一例にすぎず、実施に際しては請求項に記載した範囲においてその設計を任意に変更することが可能であることはいうまでもない。
【図面の簡単な説明】
【００２０】
【図１】実施例１に係る複写機の機器本体（筺体）上面部の隅角部付近を示す要部平面図である。
【図２】図１のＡ−Ａ線に沿う縦断面図である。
【図３】実施例２に係る複写機の筺体上面部の隅角部付近を示す要部平面図である。
【図４】図３のＢ−Ｂ線に沿う縦断面図である。
【図５】実施例３に係る複写機の筺体上面部の隅角部付近を示す要部平面図である。
【図６】図５のＣ−Ｃ線に沿う縦断面図である。
【図７】同上において上カバーの嵌合凹部にペットボトルのキャップが嵌め込まれ、第２取付体のめねじにペットボトルのおねじを螺合して保持された状態を示す図面である。
【符号の説明】
【００２１】
１  複写機筺体の上カバー                    ２  クリップ置場
３  排出穴                                  ４  取付体
５  市販のペットボトル（容器）              ６  おねじ
７  めねじ                                  ８  開閉扉
１５  取付体                                １６  キャップ
１７  めねじ                                １８  おねじ
２３  排出穴                                ２４  取付体
２５  嵌合凹部                              ２６  環状フランジ部
２７  第２排出穴                            ２８  第２取付体
２９  めねじ
【図１】
2005070241.tif 000003
【図２】
2005070241.tif 000004
【図３】
2005070241.tif 000005
【図４】
2005070241.tif 000006
【図５】
2005070241.tif 000007
【図６】
2005070241.tif 000008
【図７】
2005070241.tif 000009